(57)【要約】【課題】観光地や商店街などの所定の商業エリアにおいて、ゴミ箱が少ない状況でも、食べ歩きなどで発生したゴミのポイ捨てを抑制して、商業エリアでの美観維持を図ることができるようにする。【解決手段】所定の商業エリアにおいて取得できるゴミ袋の外面に、商業エリアの地図と、使用済みのゴミ袋の回収場所である複数の店舗の地図上での所在位置とを表記してある。【選択図】図２
2020200151.tif 000002
【特許請求の範囲】
【請求項１】
所定の商業エリアにおいて取得可能なゴミ袋であって、
前記所定の商業エリアにおける当該ゴミ袋の回収場所が、袋外面に表記されている、
ことを特徴とするゴミ袋。
【請求項２】
前記所定の商業エリアの地図が、前記袋外面に表記されていると共に、前記回収場所の複数が、前記地図に表記されている、
請求項１に記載のゴミ袋。
【請求項３】
前記回収場所が、前記所定の商業エリアにおける店舗である、
請求項１または２に記載のゴミ袋。
【請求項４】
前記店舗で、当該ゴミ袋を取得できる、
請求項３に記載のゴミ袋。
【請求項５】
前記袋外面に、前記店舗を紹介する表記がされている、
請求項３または４に記載のゴミ袋。
【請求項６】
前記袋外面に、当該ゴミ袋の使い方が表記されている、
請求項１ないし５のいずれか一項に記載のゴミ袋。
【請求項７】
前記使い方の表記が外国語である、
請求項６に記載のゴミ袋。
【請求項８】
前記請求項１ないし７のいずれか一項に記載のゴミ袋を備え、前記ゴミ袋を回収するゴミ回収システムであって、
前記所定の商業エリアに設置される当該ゴミ回収システムに関連するアイテムを備える、
ことを特徴とするゴミ回収システム。
【請求項９】
前記アイテムが、前記ゴミ袋の複数を、取外し可能に積層支持するゴミ袋支持台である、
請求項８に記載のゴミ回収システム。
【請求項１０】
前記アイテムが、当該ゴミ袋回収システムを説明するポスターである、
請求項８に記載のゴミ回収システム。
【請求項１１】
前記アイテムが、前記店舗に設置される卓上ポップである、
請求項８に記載のゴミ回収システム。
【請求項１２】
前記アイテムが、前記店舗に設置されるステッカーである、
請求項８に記載のゴミ回収システム。
【請求項１３】
前記ゴミ袋、及び、前記アイテムに、共通のシンボルマークが表記されている、
請求項８ないし１２のいずれか一項に記載のゴミ回収システム。
【発明の詳細な説明】
【技術分野】
【０００１】
本発明は、観光地や商店街などでのゴミ問題を軽減するのに有効なゴミ袋、及び、これを用いたゴミ回収システムに関する。
【背景技術】
【０００２】
ゴミ袋としては、特許文献１に示されているように、袋内部に吸水部材を配備して、投入されたゴミの水分を吸水部材で吸収し、袋本体の強度の向上と水分の腐敗を防止するようにしたものや、特許文献２に示されているように、ポリエチレンやビニール製のゴミ袋の開口部近くに切り目を入れ、切り目によってテープ状になった部分を、開口部を閉じる際の結び紐として使用できるようにした携帯用のもの、などが提案されている。
【先行技術文献】
【特許文献】
【０００３】
【特許文献１】実開平５−７５２０３号公報
【特許文献２】実用新案登録第３０１３７２４号公報
【発明の概要】
【発明が解決しようとする課題】
【０００４】
近年、商店街や観光地などの商業エリアにおいては、テロ対策等の理由でゴミ箱の設置数を意図的に少なくしている。そのために、食べ歩きした際に出た空容器、食べ残し、あるいは、包装材などを捨てるところが無く、往々にして道路の片隅などにポイ捨てされることが多くなり、これが問題となっている。
【０００５】
本発明は、このような点に鑑みて為されたものであって、観光地や商店街などの所定の商業エリアにおいて、ゴミ箱が少ない状況でも、食べ歩きなどで発生したゴミのポイ捨てを抑制することができ、商業エリアでの美観維持に有効なゴミ袋、及び、これを用いたゴミ回収システムを提供することを目的としている。
【課題を解決するための手段】
【０００６】
上記目的を達成するために、本発明では次のように構成している。
【０００７】
（１）本発明に係るゴミ袋は、所定の商業エリアにおいて取得可能なゴミ袋であって、
前記所定の商業エリアにおける当該ゴミ袋の回収場所が、袋外面に表記されている。
【０００８】
本発明に係るゴミ袋によると、観光地や商店街などの所定の商業エリアで、当該ゴミ袋を取得した観光客や買い物客は、食べ歩きなどによって発生したゴミを、当該ゴミ袋に入れ、袋外面に表記されているゴミ袋の回収場所で回収してもらうことができ、ゴミのポイ捨てを抑制することができる。
【０００９】
（２）本発明の好ましい実施態様では、前記所定の商業エリアの地図が、前記袋外面に表記されていると共に、前記回収場所の複数が、前記地図に表記されている。
【００１０】
この実施態様によると、当該ゴミ袋の外面には、観光地や商店街などの所定の商業エリアの地図と共に、ゴミ袋の複数の回収場所が地図上に表記されているので、ゴミ袋を使用した観光客や買い物客は、複数のゴミ袋の回収場所の内、地図で確認した近くの回収場所へ使用済みのゴミ袋を持って行って回収してもらうことができ、ゴミのポイ捨てを効果的に抑制することができる。また、ゴミ袋を、商業エリアの地図として利用することもできる。
【００１１】
（３）本発明の一実施態様では、前記回収場所が、前記所定の商業エリアにおける店舗である。
【００１２】
この実施態様によると、ゴミ袋の回収に協力する店舗が、ゴミ袋の外面に表記されているので、観光客や買い物客は、使用済みのゴミ袋を、ゴミ袋の外面に表記された店舗に持って行って回収してもらうことができ、ゴミのポイ捨てを効果的に抑制することができる。
【００１３】
（４）本発明の他の実施態様では、前記店舗で、当該ゴミ袋を取得できる。
【００１４】
この実施態様によると、当該ゴミ袋を店舗で取得できるので、店舗で、例えば、食品を購入した観光客や買い物客は、その店舗で当該ゴミ袋を受取り、食べ歩きによって発生したゴミを、受取ったゴミ袋に入れ、ゴミ袋に表記された地図上のいずれかの店舗に持って行って回収してもらうことができる。
【００１５】
（５）本発明の更に他の実施態様では、前記袋外面に、前記店舗を紹介する表記がされている。
【００１６】
この実施態様によると、観光客や買い物客は、ゴミ袋の外面に表記されている地図によって店舗の位置を把握できると共に、店舗を紹介する表記によって、例えば、店舗名やその販売商品などを容易に知ることができる。これによって、観光客や買い物客は、希望する商品の店舗を速やかに見つけて当該店舗へ容易に行くことができる。また、店舗では、当該店舗の紹介表記によって集客効果を期待することができる。
【００１７】
（６）本発明の一実施態様では、前記袋外面に、当該ゴミ袋の使い方が表記されている。
【００１８】
この実施態様によると、ゴミ袋の外面には、店舗等で取得したゴミ袋を使用し、使用済みのゴミ袋が、店舗等の回収場所で回収されるといったゴミ袋の使い方が表記されているので、観光客や買い物客は、説明を特に受けなくても、ゴミ袋の使い方を容易に理解することができる。これによって、観光客や買い物客は、ゴミ袋を受け取り、使用済みのゴミ袋を、店舗等で適切に回収してもらうことができる。
【００１９】
（７）本発明の他の実施態様では、前記使い方の表記が外国語である。
【００２０】
この実施態様によると、外国の観光客や買い物客にもゴミ袋の使い方を理解してもらって、適切にゴミの回収に協力してもらうことができる。
【００２１】
（８）本発明に係るゴミ回収システムは、上記（１）ないし（７）のいずれかのゴミ袋を備え、前記所定の商業エリアに設置される当該ゴミ回収システムに関連するアイテムを備える。
【００２２】
本発明に係るゴミ回収システムによれば、観光地や商店街などの商業エリアには、観光客や買い物客が使用したゴミ袋を回収する当該ゴミ回収システムに関連するアイテムが設置されているので、このアイテムによって、例えば、ゴミ袋の回収場所を明示したり、ゴミ回収システムへの参加を促すといったことが可能となり、ゴミ回収システムの円滑な運用を図ることができる。
【００２３】
（９）本発明の一実施態様では、前記アイテムが、前記ゴミ袋の複数を、取外し可能に積層支持するゴミ袋支持台である。
【００２４】
複数のゴミ袋を取外し可能に支持したゴミ袋支持台を、例えば、店舗に設置しておき、来店した観光客や買い物客に、ゴミ支持台から取外したゴミ袋を配付することができる。
【００２５】
（１０）本発明の好ましい実施態様では、前記アイテムが、当該ゴミ袋回収システムを説明するポスターである。
【００２６】
この実施態様によると、ポスターによって、ゴミ袋の使い方やゴミ回収システムの利点等を観光客や買い物客に知ってもらうことができ、ゴミ袋回収システムへの参加を促すことができる。
【００２７】
（１１）本発明の一実施態様では、前記アイテムが、前記店舗に設置される卓上ポップである。
【００２８】
この実施態様によると、目立ちやすい卓上ポップによって、当該卓上ポップが設置されている店舗が、使用済みのゴミ袋を回収してもらえる店舗であることを、観光客や買い物客は、容易に知ることができる。
【００２９】
（１２）本発明の他の実施態様では、前記アイテムが、前記店舗に設置されるステッカーである。
【００３０】
この実施態様によると、陳列ケースなどが無く、卓上ポップを載置しておけないような店舗においても、壁、扉、窓などにステッカーを貼り付けることで、観光客や買い物客は、使用済みのゴミ袋を回収してもらえる店舗であることを容易に知ることができる。
【００３１】
（１３）本発明の更に他の実施態様では、前記ゴミ袋、及び、前記アイテムに、共通のシンボルマークが表記されている。
【００３２】
この実施態様によると、店舗に設置されているアイテムを一見するだけでゴミ回収システムに参加している店舗であることを知ることができ、使用済みのゴミ袋の回収場所を容易に見つけることができる。
【発明の効果】
【００３３】
このように、本発明に係るゴミ袋及びゴミ回収システムによれば、観光地や商店街などの所定の商業エリアで、観光客や買い物客は、食べ歩きなどによって発生したゴミを、ゴミ袋に入れ、袋外面に表記されているゴミ袋の回収場所で回収してもらうことができるので、ゴミ箱が少ない状況でも、食べ歩きなどで発生したゴミのポイ捨てを抑制することができ、商業エリアでの美観維持に有効である。
【図面の簡単な説明】
【００３４】
【図１】図１は本発明の一実施形態に係るゴミ袋の表面図である。
【図２】図２は図１のゴミ袋の裏面図である。
【図３】図３はゴミ袋支持台の斜視図である。
【図４】図４はゴミ袋支持台の正面図である。
【図５】図５はゴミ袋支持台の分解斜視図である。
【図６】図６は組み立て途中のゴミ袋支持台を示す分解斜視図である。
【図７】図７はポスターの正面図である。
【図８】図８は三角ポップの斜視図である。
【図９】図９は展開した三角ポップの斜視図である。
【図１０】図１０はステッカーの正面図である。
【発明を実施するための形態】
【００３５】
以下、本発明の実施形態を図面に基づいて説明する。
【００３６】
本発明の一実施形態に係るゴミ回収システムは、図１、図２に示されるゴミ袋１を備えると共に、ゴミ回収システムに関連するアイテムとして、図３に示されるゴミ袋支持台２、図７に示されるゴミ回収システム案内用のポスター３、図８に示される卓上に載置される三角ポップ４、及び、図１０に示されるステッカー５、が準備されている。
【００３７】
これらゴミ袋１及びアイテムは、観光地や商店街などの所定の商業エリアに存在する店舗であって、ゴミ回収システムを協賛しているスポンサー店舗の資金提供によって賄われる。なお、食べ歩きできる食品を販売する店舗が主たるスポンサー店舗となる。
【００３８】
先ず、この実施形態のゴミ回収システムの概要について説明する。
【００３９】
観光地や商店街などの所定の商業エリアにおいて、観光客や買い物客は、例えば、スポンサー店舗で食品を購入したときなどに、ゴミ袋１を受け取ることができる。このゴミ袋１には、商業エリアの地図と共に、スポンサー店舗の場所及びスポンサー店舗の紹介が表記されている。スポンサー店舗は、未使用のゴミ袋１を、観光客や買い物客に配布するだけでなく、食べ歩きなどによって発生したゴミを、ゴミ袋１に入れた使用済みのゴミ袋１を回収する回収場所でもある。
【００４０】
したがって、未使用のゴミ袋１を受け取った観光客や買い物客は、食べ歩きなどによって発生したゴミを、ゴミ袋１に入れ、ゴミ袋１に表記された近くのスポンサー店舗に持参して、使用済みのゴミ袋１を回収してもらうことができる。
【００４１】
また、ゴミ袋１には、商業エリアの地図と共に、スポンサー店舗を紹介する表記、例えば、スポンサー店舗の取扱い食品等の表記がなされているので、観光客や買い物客は、希望する食品を扱うスポンサー店舗を容易に見つけて、食べ歩きを楽しむことができる。
【００４２】
更に、商業エリアには、ゴミ回収システムに関連するアイテムである、図３のゴミ袋支持台２、図７のポスター３、図８の三角ポップ４、あるいは、図１０のステッカー５が、例えば、商業エリアの入口やスポンサー店舗に設置され、後述のように、ゴミ回収システムの円滑な運用を図ることができる。
【００４３】
次に、ゴミ回収システムのゴミ袋及び各アイテムについて詳細に説明する。
【００４４】
〔ゴミ袋１〕
図１にゴミ袋１の表面が、図２にその裏面が示されている。このゴミ袋１は、紙材あるいは樹脂シート等で製作された扁平な矩形の袋であり、上端全幅に亘って開口されていると共に、上部に横長の持ち手孔６が形成されて手提げ携帯できるようになっている。このゴミ袋１のサイズは、ゴミを収納して携帯できるサイズであればよく、この例では、Ａ４サイズよりも大きなサイズとなっている。
【００４５】
図示されたゴミ袋１は、英語圏と中国語圏の観光客向けの仕様に形成されたものであり、所定の色味（例えばオレンジ色）による英語表記及び中国語表記がなされている。図１に示すように、このゴミ袋１の表面中央には吹出し付き楕円形のシンボルマークＳＭが表記されている。このシンボルマークＳＭには、食後の挨拶である合掌のシンボルイラストと「ＡＣＴＩＯＮ  ごちそうさま」のシンボルロゴが白抜きで表記されている。
【００４６】
また、シンボルマークＳＭの上側には、「食後には、ゴミを入れたごみ袋を、店舗のスタッフに、ごちそうさまの挨拶を添えてお渡しください」、「ごちそうさまはありがとうと同じ意味です」とのメッセージｍ１が英語で表記され、シンボルマークＳＭの下側には、英語表記と同内容のメッセージｍ２が中国語で表記されている。更に、ゴミ袋１の表面下部には、使用したゴミ袋の手渡し回収を促すイラストと、ハッシュタグ（♯）付きのメッセージｍ３が英語及び中国語で表記されて、インスタグラムやツイッターなどＳＮＳで、このシステムによるゴミ回収運動の拡散が呼びかけられている。
【００４７】
ゴミ袋１の裏面における左半部には、図２に示すように、ゴミ回収システムが実施されている商店街などの所定の商業エリアの概略地図が表記されている。地図には、ゴミ袋１の配布場所であると共に、使用済みのゴミ袋１の回収場所でもあるスポンサー店舗の位置が符号（この例では１〜５の番号）で表記される他、交通機関の最寄り駅、ゴミ箱、トイレ、案内所、Ｗｉ-Ｆｉ受信箇所、などの位置がイラストをもって表記されている。
【００４８】
また、ゴミ袋裏面の右半部には、上記符号で示された各スポンサー店舗を紹介するための店舗の写真Ｐ１〜Ｐ５、店舗名、取扱う主商品などが表記されると共に、ゴミ袋１の裏面下部には、このゴミ袋〔Ｇｏｃｈｉｓｏｕ-ｓａｍａ  Ｂａｇ〕の使い方がイラスト入りで表記されている。
【００４９】
このようにゴミ袋１には、スポンサー店舗と共に、交通機関の最寄り駅、ゴミ箱、トイレ、案内所、Ｗｉ-Ｆｉ受信箇所、などの位置がイラストをもって表記されているので、ゴミ袋１を地図として利用することができる。
【００５０】
このとき、地図には、スポンサー店舗の位置と共に、店舗を紹介する写真等が表記されているので、観光客や買い物客は、希望する食品を扱う店舗を見つけて、その店舗に容易に行くことができる。店舗に着いた観光客や買い物客は、希望の食品を購入すると共に、ゴミ袋１を受け取って、食べ歩きを楽しむことができる。観光客や買い物客は、食べ歩きなどによって発生したゴミをゴミ袋１に入れ、地図に表記されたスポンサー店舗に持参して回収してもらうことができる。
【００５１】
なお、上記と同一内容の表記が、異なった色味（例えば青色）で印刷された日本語及び韓国語仕様のゴミ袋１が別途準備されて提供されるようになっている。
【００５２】
〔ゴミ袋支持台２〕
図３に示されるゴミ袋支持台２は、例えば、スポンサー店舗、交通機関の最寄り駅、あるいは、観光地や商店街の入口などに備えられる。このゴミ袋支持台２は、図５、図６に示すように、紙材を打抜き成形してなる主パーツ７、後部パーツ８、及び、フック用パーツ９の３つのパーツを折り込んで、側面形状が縦長三角形の自立可能な中空体に組み上げられている。
【００５３】
主パーツ７は、ゴミ袋支持台２の前面、左右側面、及び、底面を形成するものであり、その前面上部には左右一対の縦スリット１０が形成されている。フック用パーツ９を折り込んで形成した左右一対のフック９ａを縦スリット１０に背面側から挿通し、フック用パーツ９を前面部材７の背面に貼付けることで、ゴミ袋支持台２の前面にフック９ａが突出固定される。このフック９ａに、積層した複数枚のゴミ袋１を、持ち手孔６を介して吊り下げ支持し、必要に応じてゴミ袋１をフック９ａから取り外して観光客や買い物客に配付する、あるいは、観光客や買い物客が、自ら取り外して取得する。
【００５４】
ゴミ袋支持台２の背面を形成する後部パーツ８の上部には、半楕円形のシンボル表示部８ａが折り重ね起立されており、図４の正面図に示すように、シンボル表示部８ａの前面に、全アイテム共通の合掌シンボルイラストとシンボルロゴを記した半楕円形の変形シンボルマークＳＭ´が表記されると共に、ゴミ袋支持台２の前面上部に、このゴミ袋１の使い方のメセージｍ４が２ヶ国語（図では英語と中国語）で表記されている。この表記は、上記英語圏と中国語圏の観光客向けのゴミ袋１の色味である、例えばオレンジ色で印刷されている。
【００５５】
なお、日本語及び韓国語仕様のゴミ袋１を支持するために、そのゴミ袋１の表記と同じ色味（青色）で印刷表記したゴミ袋支持台２も別途準備されており、色味の異なる２台のゴミ袋支持台２を設置することで、４か国語のユーザーに対応できるようにしている。
【００５６】
〔ポスター３〕
図７に示されるポスター３は、観光客や買い物客にゴミ袋１の使い方を含むゴミ回収システムを説明するものであり、例えば、所定の商業エリアの最寄り駅、所定の商業エリアへの入口、スポンサー店舗の入口、スポンサー店舗の内外の壁、窓、商品陳列ケース、などの人目につきやすい箇所に貼付け、あるいは、吊り下げて使用される。
【００５７】
ポスター３の前面上部には、ゴミ袋１のものと同仕様及び同色味に印刷された共通のシンボルマークＳＭが表記されると共に、ポスター３の前面中央部には、ゴミ袋の手渡し回収を促す４か国語のメセージｍ５が表記され、更に、ポスター３の前面下部には、ゴミ袋１の使い方がイラスト入りで表記されている。
【００５８】
このポスター３によって、ゴミ回収システムを知った観光客や買い物客にゴミ回収システムへの参加を促すことができる。
【００５９】
〔三角ポップ４〕
図８に示される三角ポップ４は、卓上に載置可能な卓上ポップであり、ゴミ回収システムに協賛するスポンサー店舗であることを観光客や買い物客に知らせるものである。この三角ポップ４は、スポンサー店舗における陳列ケースやレジ台などの上に、ゴミ袋支持台２と併せて載置して使用される。
【００６０】
この三角ポップ４は、図９に示すように、打抜き形成した紙製素材１１を折り曲げて横向きの三角筒状に組上げるものであり、その表面と裏面のそれぞれに、合掌シンボルイラストとシンボルロゴを白抜き形成した共通のシンボルマークＳＭが表記されており、表裏いずれの向きでも使用できるようになっている。
【００６１】
〔ステッカー５〕
図１０に示されるステッカー５も、スポンサー店舗であることを示すものであり、その表面に、合掌イラストとシンボルロゴを白抜き形成した共通のシンボルマークＳＭが付されている。このステッカー５は、主として、三角ポップ４を載置展示することができないスポンサー店舗で使用されるものであり、店舗における壁面、扉、窓などの人目につきやすい箇所に貼り付けて使用される。
【００６２】
なお、ポスター３、三角ポップ４、及び、ステッカー５のシンボルマークＳＭは、その地色が斜め上下に色分け印刷されて目立ちやすくなっており、この例では、上側が日本語・韓国語仕様の色味（青色）、下側が英語・中国語仕様の色味（オレンジ色）に印刷されている。
【００６３】
本実施形態に係るゴミ袋及びゴミ回収システムに用いるアイテムは以上のように構成されており、商店街や観光地などの所定の商業エリアを訪れた観光客は、商業エリアの入口等でゴミ袋１受け取り、あるいは、スポンサー店舗で食べ歩き可能な食品などを購入した際にゴミ袋１を受け取り、食べ歩きを楽しんだ後、残った容器、包装材などのゴミや食べ残しをゴミ袋１に入れ、ゴミ袋の回収場所、つまり、地図に表記されている近くのスポンサー店舗に持ち込んで、店舗のスタッフに手渡して回収してもらうことになる。
【００６４】
以上のようにゴミ回収システムを運用することで、ゴミ箱が設置されていなくても、食べ歩きなどによって生じたゴミのポイ捨てを大幅に低減することができ、商業エリアでの美観を維持するのに有効となる。また、観光客や買い物客は、食べ歩きで生じたゴミの処理に悩むことなく、食べ歩きを楽しむことができる。更に、スポンサー店舗は、運営資金とゴミ回収労力を提供することになるが、ゴミ袋１への店舗の紹介の表記が宣伝となり、集客効果を期待することができる。
【００６５】
［その他の実施形態］
本発明は、以下のような形態で実施することもできる。
【００６６】
（１）ゴミ回収システムのスポンサー店舗であることを示すその他のアイテムとして、共通のシンボルマークＳＭを記した旗、幟、暖簾、立ち看板、等を併用してもよい。
【００６７】
（２）上記の各種アイテムにＱＲコード等を付しておき、これをスマートフォンやアイパッド等の携帯端末で読み取ることによって、インターネットを介してサーバにアクセスし、予め準備された複数言語の内から所望の言語を選択し、ゴミ回収システムに関する種々の情報を表示するようにしてもよい。あるいは、全てが日本語で表記されたゴミ袋の全面を携帯端末で撮影することによって、文字認識と同時に所望の言語で翻訳して表示するようにしてもよい。
【００６８】
（３）ゴミ袋１や各種アイテムの表記は、見栄えのする多色刷りにすることが望ましいが、単色刷りにして低コストで運用することもできる。
【００６９】
（４）スポンサー店舗が多い場合、地図の右欄での店舗紹介は、写真を省略して、地図中の符号に対応した店舗名と主たる商品だけを列記するようにしてもよい。
【符号の説明】
【００７０】
１              ゴミ袋
２              ゴミ袋支持台
３              ポスター
４              三角ポップ
５              ステッカー
ＳＭ            シンボルマーク
【図１】
2020200151.tif 000003
【図２】
2020200151.tif 000004
【図３】
2020200151.tif 000005
【図４】
2020200151.tif 000006
【図５】
2020200151.tif 000007
【図６】
2020200151.tif 000008
【図７】
2020200151.tif 000009
【図８】
2020200151.tif 000010
【図９】
2020200151.tif 000011
【図１０】
2020200151.tif 000012